(57)【要約】第１の筐体を、デイスプレイを有する第２の筐体に収納する情報処理装置において、第１の筐体で隠されていないデイスプレイの画面表示方法に関し、第１の筐体（１４０）をデイスプレイ（１２１）に収納した際に、デイスプレイ（１２１）を画面分割し、複数のアプリケーションの画面を表示し、スクロールにより露出画面の画面表示を切り換える。このため、高速に露出画面の画面表示を切り換えることができる。
2005026935.tif 000002
【特許請求の範囲】
【請求項１】
第１の筐体と、デイスプレイを有する第２の筐体とからなる情報処理装置の画面表示方法において、
前記第１の筐体が、前記デイスプレイの画面の一部を隠すように、前記第２の筐体に位置したことを検出するステップと、
前記検出に応じて、前記デイスプレイの表示領域を画面分割し、複数のアプリケーションプログラムの画像を前記各分割された画面に表示するステップと、
画面切換え指示に応じて、前記デイスプレイの前記第１の筐体で隠されていない画面領域に、前記第１の筐体で隠された分割画面の前記アプリケーションプログラムの画像をスクロールして、表示するステップとを有する
ことを特徴とする情報処理装置の画面表示方法。
【請求項２】
請求の範囲１の情報処理装置の画面表示方法において、
前記各分割画面に表示するステップは、前記デイスプレイの表示領域の画像を格納するビデオメモリを、前記複数のアプリケーションプログラムの画像各納領域に分割して、各分割格納領域に対応するアプリケーションプログラムの画像を格納するステップを含み、
前記スクロールして表示するステップは、前記画面切換え指示に応じて、前記ビデオメモリの面面表示開始アドレスを変更するステップを含む
ことを特徴とする情報処理装置の画面表示方法。
【請求項３】
請求の範囲１の情報処理装置の画面表示方法において、
前記各分割画画に表示するステップは、少なくとも前記デイスプレイの前記第１の筐体で隠されていない画面領域に表示される画像に、スクロールバーを含んだ画像を表示するステップを有する
ことを特徴とする情報処理装置の画面表示方法。
【請求項４】
請求の範囲１の情報処理装置の画面表示方法において、
前記画像切換えステップは、マウスにより前記スクロールバーでのポインタを操作するステップを含む
ことを特徴とする情報処理装置の画面表示方法。
【請求項５】
請求の範囲１の情報処理装置の画面表示方法において、
前記各分割画面に表示するステップは、前記デイスプレイの表示領域を、前記第１の筐体で隠されていない領域を１分割単位として、複数の画面に分割するステップを含む
ことを特徴とする情報処理装置の画面表示方法。
【請求項６】
請求の範囲１の情報処理装置の画面表示方法において、
前記検出ステップは、前記第２の筐体に、ヒンジを介して取り付けられた前記第１の筐体が、前記第２の筐体の前記デイスプレイを隠すように収納されたことを検出する検出手段の出力により、検出するステップを有する
ことを特徴とする情報処理装置の画面表示方法。
【請求項７】
請求の範囲６の情報処理装置の画面表示方法において、
前記検出ステップは、前記ヒンジに前記第１の筐体が取り付けられたことを検出する第１の検出手段と、前記ヒンジが前記第２の筐体のデイスプレイに回動したことを検出する第２の検出手段との出力により、検出するステップを有する
ことを特徴とする情報処理装置の画面表示方法。
【請求項８】
請求の範囲１の情報処理装置の画面表示方法において、
前記検出ステップは、前記第１の筐体を構成するキーボードが、前記デイスプレイの画面の一部を隠すように、前記第２の筐体に位置したことを検出するステップからなる
特徴とする情報処理装置の画面表示方法。
【請求項９】
第１の筐体と、
デイスプレイと情報処理ユニットを有する第２の筐体と、
前記第１の筐体が、前記デイスプレイの画面の一部を隠すように、前記第２の筐体に収納するヒンジとを有し、
前記情報処理ユニットは、
前記第１の筐体が収納されたことを検出して、前記デイスプレイの表示領域を画面分割し、複数のアプリケーションプログラムの画象を前記各分割された画面に表示し、且つ
画面切換え指示に応じて、前記デイスプレイの前記第１の筐体で隠されていない画面領域に、前記第１の筐体で隠された分割画面の前記アプリケーションプログラムの画像をスクロールして、表示する
ことを特徴とする情報処理装置。
【請求項１０】
請求の範囲９の情報処理装置において、
前記情報処理ユニットは、前記デイスプレイの表示領域の画像を格納するビデオメモリを有し、
前記ビデオメモリを前記複数のアプリケーションプログラムの画像格納領域に分割して、各分割格納領域に対応するアプリケーションプログラムの画像を格納し、
且つ前記画面切換え指示に応じて、前記ビデオメモリの画面表示開始アドレスを変更する
ことを特徴とする情報処理装置。
【請求項１１】
請求の範囲９の情報処理装置において、
前記情報処理ユニットは、少なくとも前記デイスプレイの前記第１の筐体で隠されていない画面領域に表示される画像に、スクロールバーを含んだ画像を表示する
ことを特徴とする情報処理装置。
【請求項１２】
請求の範囲９の情報処理装置において、
前記スクロールバーでのポインタを操作に応じて、前記画面切換え指示するマウスを含む
ことを特徴とする情報処理装置。
【請求項１３】
請求の範囲９の情報処理装置において、
前記情報処理ユニットは、前記デイスプレイの表示領域を、前記第１の筐体で隠されていない領域を１分割単位として、複数の画面に分割する
ことを特徴とする情報処理装置。
【請求項１４】
請求の範囲９の情報処理装置において、
前記第２の筐体に、前記ヒンジを介して取り付けられた前記第１の筐体が、前記第２の筐体の前記デイスプレイを隠すように収納されたことを検出する検出手段を更に有する
ことを特徴とする情報処理装置。
【請求項１５】
請求の範囲１４の情報処理装置において、
前記検出手段は、
前記ヒンジに前記第１の筐体が取り付けられたことを検出する第１の検出手段と、
前記ヒンジが前記第２の筐体のデイスプレイに回動したことを検出する第２の検出手段とを有する
ことを特徴とする情報処理装置。
【請求項１６】
請求の範囲９の情報処理装置において、
前記第１の筐体が、キーボードで構成される
ことを特徴とする情報処理装置。
【請求項１７】
第１の筐体と、デイスプレイと情報処理ユニットとを有する第２の筐体とからなる情報処理装置の画面表示のプログラムであって、
前記第１の筐体が、前記デイスプレイの画面の一部を隠すように、前記第２の筐体に位置したことを検出するステップと、
前記検出に応じて、前記デイスプレイの表示領域を画面分割し、複数のアプリケーションプログラムの画像を前記各分割された画面に表示するステップと、
画面切換え指示に応じて、前記デイスプレイの前記第１の筐体で隠されていない画面領域に、前記第１の筐体で隠された分割画面の前記アプリケーションプログラムの画像をスクロールして、表示するステップとを、前記情報処理ユニットに実行させる
ことを特徴とするプログラム。
【請求項１８】
請求の範囲１７のプログラムにおいて、
前記各分割画面に表示するステップは、前記デイスプレイの表示領域の画像を格納するビデオメモリを、前記複数のアプリケーションプログラムの画像格納領域に分割して、各分割格納領域に対応するアプリケーションプログラムの画像を格納するステップを含み、
前記スクロールして表示するステップは、前記画面切換え指示に応じて、前記ビデオメモリの画面表示開始アドレスを変更するステップを含む
ことを特徴とするプログラム。
【請求項１９】
請求の範囲１７のプログラムにおいて、
前記各分割画面に表示するステップは、少なくとも前記デイスプレイの前記第１の筐体で隠されていない画面領域に表示される画像に、スクロールバーを含んだ画像を表示するステップを有する
ことを特徴とするプログラム。
【請求項２０】
請求の範囲１７のプログラムにおいて、
前記画像切換えステップは、マウスにより前記スクロールバーでのポインタを操作するステップを含む
ことを特徴とするプログラム。
【請求項２１】
請求の範囲１７のプログラムにおいて、
前記各分割画面に表示するステップは、前記デイスプレイの表示領域を、前記第１の筐体で隠されていない領域を１分割単位として、複数の画面に分割するステップを含む
ことを特徴とするプログラム。
【請求項２２】
請求の範囲１７のプログラムにおいて、
前記検出ステップは、前記第２の筐体に、ヒンジを介して取り付けられた前記第１の筐体が、前記第２の筐体の前記デイスプレイを隠すように収納されたことを検出する検出手段の出力により、検出するステップを有する
ことを特徴とするプログラム。
【請求項２３】
請求の範囲２２のプログラムにおいて、
前記検出ステップは、前記ヒンジに前記第１の筐体が取り付けられたことを検出する第１の検出手段と、前記ヒンジが前記第２の筐体のデイスプレイに回動したことを検出する第２の検出手段との出力により、検出するステップを有する
ことを特徴とするプログラム。
【請求項２４】
請求の範囲１７のプログラムにおいて、
前記検出ステップは、前記第１の筐体を構成するキーボードが、前記デイスプレイの画面の一部を隠すように、前記第２の筐体に位置したことを検出するステップからなる
特徴とするプログラム。
【発明の詳細な説明】
【技術分野】  本発明は、デイスプレイユニットに、キーボード等の第１の筐体を立てかけて、収容する構造のノート型やデスクトップ型の情報処理装置の画面表示方法、情報処理装置及びそのプログラムに関し、特に、デイスプレイユニットにキーボードを立てかけて、収容した際のデイスプレイユニットの画面表示を制御する情報処理装置の画面表示方法、情報処理装置及びそのプログラムに関する。
【背景技術】  近年、個人が使用するパーソナルコンピュータは、ノート型やデスクトップ型、携帯型等種々のものが普及している。このようなパーソナルコンピュータも、単なるデータ処理機能だけでなく、インターネットやＤＶＤ，ＴＶを利用したＡＶ（Ａｕｄｉｏ  Ｖｉｓｕａｌ）機能も要求されている。このため、使用者や使用環境に応じて最適な形態にパーソナルコンピュータが種々提供されている。
例えば、主に、デスク上で使用するパーソナルコンピュータとして、直立したデイスプレイを含む本体部に対し、キーボードを立てかけて、収容できるものが提案されている（例えば、特許文献１，２，３）。
【特許文献１】  特開平３−１６４９１７号公報（図１、図２）
【特許文献２】  特開２０００−２８４８５５号公報（図２）
【特許文献３】  特開平４−２１８８２０号公報
かかるパーソナルコンピュータの内、キーボードを収容した際に、デイスプレイの表示画面の一部が露出するものがある。図１０は、従来のパーソナルコンピュータの構成図、図１１は、その画面表示の説明図である。電源部や主要回路を備えた土台部１０００にデイスプレイ１００２が直立して設けられる。この土台部１０００にヒンジ１１００によりキーボード１００４が設けられている。
キーボード１００４は、図の水平状態からヒンジ１０００を中心に回動し、図の点線のように、直立したデイスプレイ１００２に立てかけて、収容される。この時、図１０、図１１に示すように、デイスプレイ１００２の下部が、キーボード１００４に覆われ、上部は露出する。
従来、パーソナルコンピュータのＯＳを終了しないで、キーボード１００４を収容した時に、図１１に示すように、この露出画面のサイズのアプリケーション（時計、ＣＤプレーヤ等）を起動して、デイスプレイの露出画面に、表示する。これにより、ＯＳの稼動状態で、キーボードを使用しないアプリケーションを動作し、ユーザの利用に供することが行われていた（例えば、非特許文献１参照）。
【非特許文献１】  「バイオＷ」ＰＣＶ−Ｗ１２０（Ｌ）・Ｗ１２０（Ｗ）・Ｗ１１０（Ｗ）、２００３年６月３日検索、インターネット＜ＵＲＬ：ｈｔｔｐ：／／ｗｗｗ．ｖａｉｏ．ｓｏｎｙ．ｃｏ．ｊｐ／Ｐｒｏｄｕｃｔｓ／Ｐｄｆ／ＰＣＶ−Ｗ１２０．ｐｄｆ＞
このようなキーボード１００４を装着した使用形態においては、図１１に示すように、露出画面に時計表示１００６を行っている時に、マウスや専用キーの指示により、ＣＤプレーヤー画面１００８やＤＶＤ画面に切り換えることができる。
従来の方法では、デイスプレイ１００２の画面メモリであるＶＲＡＭ（Ｖｉｄｅｏ  ＲＡＭ）１１００に、アプリケーションが、デイスプレイ１００２の露出画面分の画像を書込むのみであるため、マウス等で、画面切り替え指示すると、切り替え画面をＶＲＡＭ１１００に書込む。このため、画面切り替えに時間がかかり、特に、１５インチ以上のデイスプレイで顕著であり、ユーザの利便性に欠ける。
【発明の開示】
従って、本発明の目的は、キーボード等の第１の筐体を装着した状態でデイスプレイの露出画面に画面表示を行う際に、画面切り替え時間を短縮するための情報処理装置の画面表示方法、情報処理装置及びそのプログラムを提供することにある。
又、本発明の他の目的は、キーボードを装着した状態でデイスプレイの露出画面に画面表示を行う際に、画面切り替え時間を短縮し、有効に露出画面を利用するための情報処理装置の画面表示方法、情報処理装置及びそのプログラムを提供することにある。
更に、本発明の他の目的は、キーボードを装着した状態でデイスプレイの露出画面に画面表示を行う際に、画面切り替え時間を短縮し、ユーザの利便性を向上するための情報処理装置の画面表示方法、情報処理装置及びそのプログラムを提供することにある。
この目的の達成のため、本発明では、第１の筐体と、デイスプレイを有する第２の筐体から構成される情報処理装置の画面表示方法において、前記第１の筐体が、前記デイスプレイの画面の一部を隠すように、前記第２の筐体に位置したことを検出するステップと、前記検出に応じて、前記デイスプレイの表示領域を画面分割し、複数のアプリケーションプログラムの画像を前記各分割された画面に表示するステップと、画面切換え指示に応じて、前記デイスプレイの前記第１の筐体で隠されていない画面領域に、前記第１の筐体で隠された分割画面の前記アプリケーションプログラムの画像をスクロールして、表示するステップとを有する。
又、本発明の情報処理装置は、第１の筐体と、デイスプレイと情報処理ユニットを有する第２の筐体と、前記第１の筐体が、前記デイスプレイの画面の一部を隠すように、前記第２の筐体に収納するヒンジとを有し、前記情報処理ユニットは、前記第１の筐体が前記収納されたことを検出して、前記デイスプレイの表示領域を画面分割し、複数のアプリケーションプログラムの画像を前記各分割された画面に表示し、且つ画面切換え指示に応じて、前記デイスプレイの前記第１の筐体で隠されていない画面領域に、前記第１の筐体で隠された分割画面の前記アプリケーションプログラムの画像をスクロールして、表示する。
本発明のプログラムでは、第１の筐体と、デイスプレイと情報処理ユニットとを有する第２の筐体から構成される情報処理装置の画面表示のためのプログラムであって、前記第１の筐体が、前記デイスプレイの画面の一部を隠すように、前記第２の筐体に位置したことを検出するステップと、前記検出に応じて、前記デイスプレイの表示領域を画面分割し、複数のアプリケーションプログラムの画像を前記各分割された画面に表示するステップと、画面切換え指示に応じて、前記デイスプレイの前記第１の筐体で隠されていない画面領域に、前記第１の筐体で隠された分割画面の前記アプリケーションプログラムの画像をスクロールして、表示するステップとを、前記情報処理ユニットに実行させる。
本発明では、第１の筐体を、デイスプレイに収納した際に、画面分割し、複数のアプリケーションの画面を表示し、スクロールにより露出画面の画面表示を切り換えるため、露出画面の画面表示を高速に切り換えることができる。
又、本発明では、好ましくは、前記各分割画面に表示するステップは、前記デイスプレイの表示領域の画像を格納するビデオメモリを、前記複数のアプリケーションプログラムの画像格納領域に分割して、各分割格納領域に対応するアプリケーションプログラムの画像を格納するステップを含み、前記スクロールして表示するステップは、前記画面切換え指示に応じて、前記ビデオメモリの画面表示開始アドレスを変更するステップを含む。
この本発明の形態では、ＶＲＡＭの表示開始アドレスを変更するだけで済むので、より高速に露出画面の画面表示を切り換えることができ、且つ処理も簡単である。
又、本発明では、好ましくは、前記各分割画面に表示するステップは、少なくとも前記デイスプレイの前記第１の筐体で隠されていない画面領域に表示される画像に、スクロールバーを含んだ画像を表示するステップを有する。これにより、第１の筐体を収納しても、容易に画面切換え指示できる。
又、本発明では、好ましくは、前記画像切換えステップは、マウスにより前記スクロールバーでのポインタを操作するステップを含む。これにより、第１の筐体を収納した状態で、容易に画面切換え指示できる。
又、本発明では、好ましくは、前記各分割画面に表示するステップは、前記デイスプレイの表示領域を、前記第１の筐体で隠されていない領域を１分割単位として、複数の画面に分割するステップを含む。これにより、デイスプレイの露出画面単位での画像切換えが可能となる。
又、本発明では、好ましくは、前記検出ステップは、前記本体部に、ヒンジを介して取り付けられた前記第１の筐体が、前記本体部の前記デイスプレイを隠すように収納されたことを検出する検出手段の出力により、検出するステップを有する。これにより、容易に第１の筐体が収納され、デイスプレイの一部が隠されたことを検出できる。
又、本発明では、好ましくは、前記検出ステップは、前記ヒンジに前記第１の筐体が取り付けられたことを検出する第１の検出手段と、前記ヒンジが前記本体部のデイスプレイに回動したことを検出する第２の検出手段との出力により、検出するステップを有する。これにより、第１の筐体がデイスプレイから分離できる構成をとっても、容易に第１の筐体が収納され、デイスプレイの一部が隠されたことを検出できる。
更に、本発明では、好ましくは、前記第１の筐体が、キーボードで構成されることにより、パーソナルコンピュータの利便性を向上できる。
【図面の簡単な説明】  図１は、本発明の一実施の形態のキーボード収納型情報処理装置の外観図である。
図２は、図１の装置のキーボード収納状態の説明図である。
図３は、図１の装置のキーボード取り外し状態の説明図である。
図４は、図１のヒンジユニットの断面図である。
図５は、図１の装置の内部ブロック図である。
図６は、図１の装置のオペレーテイングシステムの構成図である。
図７は、図６の常駐アプリケーションの処理フロー図である。
図８は、図７の画面表示動作の説明図である。
図９は、図７の画面表示例の説明図である。
図１０は、従来技術の構成図である。
図１１は、従来技術の画面表示動作の説明図である。
【発明を実施するための最良の形態】  以下、本発明の実施の形態を、情報処理装置、画面表示制御処理、他の実施の形態の順で説明する。
［情報処理装置］
図１は、本発明の一実施の形態におけるパーソナルコンピュータの外観図、図２は、図１のキーボード装着時の構成図、図３は、図１のキーボード使用時の構成図、図４は、図１のヒンジの断面図である。
図１は、一体型パーソナルコンピュータ１００として、ノート型パーソナルコンピュータ１を例に示す。図１に示すように、ノート型パーソナルコンピュータ１は、ベース１１０と、立設部１２０と、ヒンジユニット１３０と、キーボード１４０と、マウス１５０とを有する。
ベース１１０は、机の上等の水平面上に載置される土台を成す部分である。ベース１１０には、図示しないバッテリパックが装填され、且つ図示しないＡＣアダプタ接続端子を備える。更に、ベース１１０には、テレビアンテナと接続されるアンテナ端子１１２、オーデイオ入力端子１１３Ｒ，１１３Ｌ，Ｓビデオ入力端子及びビデオ入力端子（図示せず）とを備える。ベース１１０の上には、ウーファ１１６を備える。
次に、立設部１２０は、ベース１１０に立設した状態で支持され、その前面に液晶表示画面１２１を有する。この立設部１２０は、ベース１１０に対し、ある角度回動するように軸支されており、液晶表示画面１２１の仰角を調整できるようになっている。
また、この立設部１２０には、その表示画面１２１の背面側に、図５で説明するＣＰＵやハードデイスクなど、コンピュータとしての主たる演算機能部分が搭載されている。又、立設部１２０の側面には、ＣＤやＤＶＤが装填されるＣＤ／ＤＶＤ装填口（スロット）１２２、ヘッドホンジャックが差し込まれるヘッドホン出力端子１２３、マイクロホンのジャックが差し込まれるマイクロホン入力端子１２４、ＩＥＥＥ１３９４の通信規格に準拠した通信ケーブルのコネクタが差し込まれるコネクタ端子１２５、ＵＳＢの通信規格に準拠した通信ケーブルのコネクタが差し込まれる３つのコネクタ端子１２６が設けられている。
更に、立設部１２０の前面下部には、左右２つのスピーカ１２７、および、左右下部に１つずつ、及び上部に１つの合計３つの赤外線受信部１２８が備えられている。この赤外線受信部１２８は、後述するキーボード１４０やマウス１５０から発せられる通信用の赤外線を受信するためのものである。
また、ヒンジユニット１３０には５つのワンタッチボタン１３１が備えられており、ヒンジユニット１３０には、それらのワンタッチボタン１３１の操作を検出して、立設部１２０に伝える回路が搭載された回路基板が内蔵されている。
これら５つのワンタッチボタン１３１には、それぞれに、例えば、あるワンタッチボタンを押すとインタネット用のプログラムが起動されるなど、各ファンクションを対応づけることができる。
また、このヒンジユニット１３０は、キーボード１４０を着脱自在に支持するものであって、ヒンジユニット１３０には、このヒンジユニット１３０に装着されているキーボード１４０をヒンジユニット１３０から取り外すための取外し操作ボタン１３２が備えられている。
図３は、ヒンジユニット１３０からキーボード１４０が取り外された状態を示す斜視図であり、図３に示すように、ヒンジユニット１３０には、左右に延び、キーボード１４０を咥えるスリット形状のキーボード咥え部１３４が形成されている。
キーボード１４０を、図３に示す姿勢のまま、ヒンジユニット１３０のキーボード咥え部１３４に嵌め込むと、キーボード１４０が、図１に示すようにヒンジユニット１３０に装着される。又、取外し操作ボタン１３２を、図１に示す矢印Ａ方向にスライド操作すると、キーボード１４０とヒンジユニット１３０との間の係合が外れ、キーボード１４０を、図１に示す矢印Ｂ方向に引くことにより、キーボード１４０がヒンジユニット１３０から図３に示すように取り外される。
このヒンジユニット１３０は、立設部１２０に設けられた支持軸１２９（図４参照）に軸支され、その支持軸１２９の回わりに回動自在である。このため、ヒンジユニット１３０に装着されたキーボード１４０を、図２に示すように、キーボード１４０が、液晶表示画面１２１を蔽った閉状態と、図１に示すように、キーボード１４０を立設部１２０から開き、液晶表示画面１２１全面を露出させた開状態との間で回動させることができる。
また、図４に示すように、ヒンジユニット１３０には、ヒンジユニット１３０が、図１に示す開状態にあるかあるいは図２に示す閉状態にあるかを検出するヒンジユニット開閉検出スイッチ１３３、および、キーボード１４０が、図１に示すようにヒンジユニット１３０に装着されているかあるいは図３に示すようにヒンジユニット１３０からキーボード１４０が取り外されているかを検出するキーボード検出スイッチ１５１が備えられている。
ヒンジユニット１３０に内蔵された回路基板上の回路では、５つのワンタッチキー１３１の押下の検出のほか、ヒンジユニット開閉検出スイッチ１３３やキーボード検出スイッチ１５１のオン／オフも検出される。
尚、図１に示すように、立設部１２０には、ゴム等の弾性体からなる受け部１６２が設けられている。この受け部１６２は、図２に示すように、折り畳まれたときに、ヒンジユニット１３０の当接を柔軟に受け止める。
また、キーボード１４０にはキー操作を受ける多数のキー（図示省略）が配列されており、更に、キー操作情報を送信する赤外線送信部１４１およびこの一体型パソコン１００をサスペンド状態から立ち上げるためのサスペンドボタン１４２を備えている。キーボード１４０の赤外線送信部１４１から送信されたキー操作情報は、立設部１２０に設けられた赤外線受信部１２８で受信される。
マウス１５０にも、マウス１５０の操作情報を送信する赤外線送信部（図示せず）が備えられており、その赤外線送信部１５０から送信されたマウス操作情報も、立設部１２０の赤外線受信部１２８で受信される。
ここで、キーボード１４０の寸法は、左右方向に関しては立設部１２０とほぼ同一であるが、図１の奥行き方向（図２に示す閉状態における上下方向）に関しては立設部１２０よりも短かい。このため、図２に示す閉状態では、キーボード１４０は立設部１２０の表示画面１２１の一部を蔽うにとどまり、図２の閉状態においても表示画面１２１の上側約１／３の領域は露出したままの状態となる。
このような立設型パーソナルコンピュータ１００は、図２のキーボード収納状態では、机上スペースを広く使用でき、且つキーボード１４０を使用する場合には、キーボード１４０を開き、図１の状態で使用できる他に、図３に示すように、キーボード１４０を取り外し、操作できる。図３の使用形態では、キーボード１４０とデイスプレイを含む本体部１２０、１１０とを分離でき、本体部の位置に拘束されず、キーボード１４０を配置して、操作できる。
又、図２の閉状態に示すように、キーボード１４０が、立設部１２０の表示画面１２１の一部を蔽うにとどまり、表示画面１２１の上側約１／３の領域は露出したままの状態となるため、この露出画面に各種の画面を表示できる。
［画面表示制御処理］
次に、前述のパーソナルコンピュータの画面表示制御処理を説明する。図５は、図１乃至図３の実施形態の一体型パソコン１００の回路ブロック図である。
図５に示す本体部２００は、図１に示すベース１１０と立設部１２０とを合わせた部分である。この本体部２００には、ＣＰＵ２０１、ＲＡＭ２０２、メモリカードコントローラ２０３、オーディオコントローラ２０４、テレビチューナ２０５、グラフィックコントローラ２０６、ＶＲＡＭ（Ｖｉｄｅｏ  ＲＡＭ）２０７、液晶表示部１２１、ＲＯＭ２０８、モデムカード２０９、ＬＡＮ制御部２１０、およびディスクコントローラ２１１を備えている。
さらに、本体部２００は、図１にも示した赤外線受信部１２８や、ＩＥＥＥ１３９４規格に準拠したコネクタ端子１２５や、ＵＳＢ規格に準拠したコネクタ端子１２６を備え、これらは、バス２２０を介して相互に接続されている。
ＣＰＵ２０１は、プログラムを実行することにより各種の演算処理を行なう要素である。ＲＡＭ２０２は、ＣＰＵ２０１で実行されるプログラムが実行のために展開され、また、ＣＰＵ２０１でのプログラム実行中における作業用として使用されるメモリである。
メモリカードコントローラ２０３は、図示しないメモリカードをアクセスするコントローラである。オーディオコントローラ２０４は、ヘッドホン出力端子１２３、マイクロホン入力端子１２４、およびスピーカ１２７に接続され、マイクロホン入力端子１２４から入力されてきた音声信号をディジタル信号に変換して、内部に取り込んだり、バス２２０を経由して送られてきたディジタル信号をアナログの音声信号に変換して、スピーカ１２７やヘッドホン出力端子１２３に伝える。
また、赤外線受信部１２８は、前述したとおり、キーボード１４０やマウス１５０の操作情報を受信するためのものである。テレビチューナ２０５は、アンテナ入力端子１１２、オーディオ入力端子１１３Ｒ，１１３Ｌ、Ｓビデオ入力端子１１４、およびビデオ入力端子１１５に接続されており、テレビ放送やビデオ録画、再生等を担う要素である。
さらに、図示しないメモリカードは、この一体型パソコンに挿抜自在に挿入される可搬型のメモリカード、例えばメモリスティックやＳＤメモリカード等であり、このメモリカードは、メモリカードコントローラ２０３によりアクセスされる。
液晶表示部（ＬＣＤ）１２１は、図１に示す液晶表示画面を備えたものであり、ＣＰＵ２０１の指示に応じてその液晶表示画面１２１上に様々な画像を表示する。ＲＯＭ２０８は、固定的なデータやプログラムを記憶しておく記憶要素である。モデムカード２０９は、一種の通信を担う要素であり、通信コネクタ２１６に接続されている。また、ＬＡＮ制御部２１０も、一種の通信を担う要素であり、通信コネクタ２１７に接続されている。
さらに、ディスクコントローラ２１１は、本体部２００に内蔵されているハードディスク２１２や、図１に示すＣＤ／ＤＶＤ装填口１２２から装填されたＣＤやＤＶＤ２１３をアクセスする。
ＶＲＡＭ２０７は、液晶表示部１２１の画面メモリであり、少なくとも画面１ページ分、望ましくは、数ページ分の画像データをビットマップで格納する。グラフィックコントローラ２０６は、ＶＲＡＭ２０７のＣＰＵ２０１で指定された画面領域に、画像をビットマップ展開し、ＶＲＡＭ２０７の画面開始アドレスから画像を読出し、液晶表示部１２１を表示制御する。
また、図５の下部に示すヒンジユニット１３０には、前述のワンタッチボタン１３１、ヒンジユニット開閉検出スイッチ１３３、およびキーボード検出スイッチ１５１に加え、バス２２０に接続されたヒンジユニット回路基板２３１を備える。このヒンジユニット回路基板２３１は、ワンタッチボタン１３１の操作や、ヒンジユニット開閉スイッチ１３３やキーボード検出スイッチ１５１のオン、オフを検出してＣＰＵ２０１に伝える役割りを担っている。
図６は、ＣＰＵ２０１が実行するプログラム構成図、図７は、図６の常駐アプリケーションプログラムの処理フロー図、図８は、図７の動作説明図、図９は、図７による画面表示例の説明図である。
図６に示すように、ＣＰＵ２０１のＯＳ（オペレーテイングシステム）は、ハードウェア４００を制御するカーネル３００と、アプリケーションプログラム３２０と、必要なユーザプログラム３４０とを備える。
カーネル３００は、ＯＳの核の部分であり、処理プロセスを管理するプロセス管理プログラム３０１と、同期と通信制御を行う同期及び通信制御プログラム３０２と、ファイル管理を行うファイルシステム３０３と、記憶管理を行う記憶管理プログラム３０４と、ＣＰＵのスケジュール管理を行うＣＰＵスケジューラ３０５と、割込み制御を行う割込み制御プログラム３０６と、入出力制御を行う入出力制御プログラム３０７と、タイマ管理を行うタイマ管理プログラム３０８と、デバイスをドライブするデバイスドライバ３１０と、デイスプレイをドライブするデイスプレイドライバ３１２とを有する。
更に、本発明では、図７で説明するヒンジ１３０のスイッチに連動して、デイスプレイドライバ３１２を介し画面制御する常駐アプリケーション３３０を設けている。
図７は、かかるスイッチ連動の画面制御アプリケーションプログラムの処理フロー図である。
（Ｓ１０）ＣＰＵ２０１は、キーボード１４０が、収納されているかを判別する。即ち、図２のキーボード収納状態にあるかを判別するため、図４及び図５に示すキーボード検出スイッチ１５１が、キーボード１４０を検出し（オン状態）、且つヒンジユニット開閉検出スイッチ１３３が、ヒンジユニット１３０の閉状態を検出している（オン状態）かを判定する。
（Ｓ１２）ＣＰＵ２０１は、両スイッチ１５１、１３３がオン状態であれば、キーボード１４０は、図２の収納状態にあると判定し、ハーフデイスプレイモードに移行する。例えば、前述のデイスプレイ１２１の表示画面の１／３が露出する場合には、図８に示すように、３つのアプリケーションプログラムを、画面表示できる。ここでは、画面を分割し、時計表示、ＴＶ表示、ＤＶＤ表示を実行する。このため、図８のように、３つのアプリケーションプログラムが起動している場合、又は、スイッチ１５１、１３３のオンに応じて、時計表示プログラムが自動起動され、且つ他のアプリケーションプログラム（ＴＶ，ＤＶＤ）が起動されている場合には、デイスプレイドライバ３１２を介し、グラフィックコントローラ２０６に、図８に示すように、ＶＲＡＭ２０７の１画面領域を３分割し、各アプリケーションプログラムの画像データ（時計、ＴＶ，ＤＶＤ）を書き込む。これにより、図８に示すように、デイスプレイ１２１の画面には、時計、ＴＶ、ＤＶＤの３つが縦方向に順に表示される。この時、デイスプレイ１２１の画面の下２／３は、キーボード１４０に覆われているため、上１／３の時計のみが見える。図９に示すように、この分割画面には、各々、コンテンツ表示３００、３０２、３０４の横に、スクロールバー３０１、３０３、３０５も表示される。
（Ｓ１４）ＣＰＵ２０１は、マウス１５０のポインタ操作で、スクロールバー３０１を操作して、画面書換処理要求をしたかを判定する。
（Ｓ１６）ＣＰＵ２０１は、画面書換処理要求を受けると、スクロールバー３０１のアップ指示か、ダウン指示かを判定する。アップ指示（即ち、スクロールバー３０１の上向き矢印をクリック）であれば、デイスプレイドライバ３１２を介し、グラフィックコントローラ２０６に、画面表示開始アドレスを画面の１／３だけ上に変更する指示を発する。このため、図８の状態ｂに示すように、ＶＲＡＭ２０７は、サイクリックに使用されるから、ＶＲＡＭ２０７の画面表示開始アドレスが、ＤＶＤ領域の先頭となり、デイスプレイ１２１の画面には、ＤＶＤ、時計，ＴＶの順に縦方向に表示される。この時、デイスプレイ１２１の画面の下２／３は、キーボード１４０に覆われているため、上１／３のＤＶＤのみが見える。図９では、表示アプリケーションを時計３００、ＣＤプレーヤ３０２、ＤＶＤ３０４で例示してあるため、デイスプレイ１２１の露出した上１／３の画面領域の内容が、時計からＤＶＤプレーヤに切り替わる。そして、書換を完了し、最初に戻る。
（Ｓ１８）一方、ダウン指示（即ち、スクロールバー３０１の下向き矢印をクリック）であれば、デイスプレイドライバ３１２を介し、グラフィックコントローラ２０６に、画面表示開始アドレスを画面の１／３だけ下に変更する指示を発する。このため、図８の状態ｃに示すように、ＶＲＡＭ２０７の画面表示開始アドレスが、ＴＶ領域の先頭となり、デイスプレイ１２１の画面には、ＴＶ，ＤＶＤ、時計の順に縦方向に表示される。この時、デイスプレイ１２１の画面の下２／３は、キーボード１４０に覆われているため、上１／３のＴＶのみが見える。図９では、表示アプリケーションを時計３００、ＣＤプレーヤ３０２、ＤＶＤ３０４で例示してあるため、デイスプレイ１２１の露出した上１／３の画面領域の内容が、時計からＣＤプレーヤに切り替わる。そして、書換を完了し、最初に戻る。
このように、キーボードをデイスプレイに収納した際に、画面分割し、複数のアプリケーションの画面を表示し、スクロールにより露出画面の画面表示を切り換えるため、露出画面の画面表示を高速に切り換えることができる。又、ＶＲＡＭの表示開始アドレスを変更するだけで済むので、より高速に露出画面の画面表示を切り換えることができ、且つ処理も簡単である。
［他の実施の形態］
以上、本発明を実施の形態により説明したが、本発明の趣旨の範囲内において、本発明は、種々の変形が可能であり、これらを本発明の技術的範囲から排除するものではない。
例えば、パーソナルコンピュータとして、机上での使用するデスクトップ又はノート型パーソナルコンピュータで説明したが、ＰＤＡ等の他の携帯電子装置に適用できる。又、キーボードをデイスプレイから取り外しできる装置で説明したが、取り外しできない装置にも適用できる。更に、ハーフデイスプレイモードを、３分割の画面で説明したが、２分割、４分割等、複数の分割画面としても良い。同様に、第１の筐体をキーボードで説明したが、座標入力装置等の他の入力ユニットに適用できる。
【産業上の利用可能性】  本発明では、キーボード等の第１の筐体をデイスプレイに収納した際に、画面分割し、複数のアプリケーションの画面を表示し、スクロールにより露出画面の画面表示を切り換えるため、露出画面の画面表示を高速に切り換えることができる。又、ＶＲＡＭの表示開始アドレスを変更するだけで済むので、より高速に露出画面の画面表示を切り換えることができ、且つ処理も簡単である。
【図１】
2005026935.tif 000003
【図２】
2005026935.tif 000004
【図３】
2005026935.tif 000005
【図４】
2005026935.tif 000006
【図５】
2005026935.tif 000007
【図６】
2005026935.tif 000008
【図７】
2005026935.tif 000009
【図８】
2005026935.tif 000010
【図９】
2005026935.tif 000011
【図１０】
2005026935.tif 000012
【図１１】
2005026935.tif 000013
【国際調査報告】
2005026935.tif 000014
2005026935.tif 000015
2005026935.tif 000016
2005026935.tif 000017
2005026935.tif 000018
2005026935.tif 000019
2005026935.tif 000020
2005026935.tif 000021